(57)【要約】【課題】本発明は、内蔵するカメラの外周部に配置したコマンドダイヤルをハウジング本体の外部から簡略操作できる操作性の良好な水中カメラハウジングのコマンドダイヤル操作機構を提供する。【解決手段】本発明は、コマンドダイヤル６１を備えるカメラをハウジング本体５１に内蔵した状態で、コマンドダイヤル６１をハウジング本体５１の外部から操作する水中カメラハウジング５０のコマンドダイヤル操作機構１であって、ハウジング本体５１の側面外部に回動可能に、かつ、内部への水の浸入を阻止する状態に配置した操作ダイヤル２と、ハウジング本体５１内に配置され、操作ダイヤル２の回転に伴う回転力を内蔵したカメラのコマンドダイヤル６１にギヤ結合で伝達するギヤ伝達機構３とを有する構成とした。【選択図】図２
2009157173.tif 000002
【特許請求の範囲】
【請求項１】
コマンドダイヤルを備えるカメラをハウジング本体に内蔵した状態で、前記コマンドダイヤルをハウジング本体の外部から操作する水中カメラハウジングのコマンドダイヤル操作機構であって、
前記ハウジング本体の側面外部に回動可能に、かつ、内部への水の浸入を阻止する状態に配置した操作ダイヤルと、
ハウジング本体内に配置され、前記操作ダイヤルの回転に伴う回転力を内蔵したカメラのコマンドダイヤルにギヤ結合で伝達するギヤ伝達機構と、
を有することを特徴とする水中カメラハウジングのコマンドダイヤル操作機構。
【請求項２】
コマンドダイヤルを備えるカメラをハウジング本体に内蔵した状態で、前記コマンドダイヤルをハウジング本体の外部から操作する水中カメラハウジングのコマンドダイヤル操作機構であって、
前記ハウジング本体の側面外部に回動可能に、かつ、内部への水の浸入を阻止する状態に配置した操作ダイヤルと、
前記ハウジング本体内に配置した前記操作ダイヤルの回転力を伝達する原動ギヤを有する操作ダイヤル支持ギヤユニットと、前記ハウジング本体内に配置した前記原動ギヤの回転力を伝達するギヤ群及びこのギヤ群の回転力を前記カメラのコマンドダイヤルに伝達する作動ギヤを具備する伝達ギヤユニットと、を備えたギヤ伝達機構と、
を有することを特徴とする水中カメラハウジングのコマンドダイヤル操作機構。
【請求項３】
コマンドダイヤルを備えるカメラをハウジング本体に内蔵した状態で、前記コマンドダイヤルをハウジング本体の外部から操作する水中カメラハウジングのコマンドダイヤル操作機構であって、
前記ハウジング本体の側面外部に回動可能に、かつ、内部への水の浸入を阻止する状態に配置した操作ダイヤルと、
前記ハウジング本体内に配置した前記操作ダイヤルを支持するとともに、前記操作ダイヤルの回転力を伝達する原動ギヤを同軸に取り付けた操作ダイヤル支持軸を有する操作ダイヤル支持ギヤユニットと、前記ハウジング本体内に配置されるとともに、前記原動ギヤの回転力を伝達するギヤ群及びこのギヤ群の回転力を前記カメラのコマンドダイヤルに伝達する作動ギヤを取り付けた伝達ギヤ軸を具備する伝達ギヤユニットと、を備えたギヤ伝達機構と、
を有することを特徴とする水中カメラハウジングのコマンドダイヤル操作機構。
【発明の詳細な説明】
【技術分野】
【０００１】
本発明は、水中カメラハウジングのコマンドダイヤル操作機構に関するものである。
【背景技術】
【０００２】
水中カメラハウジング内にデジタルカメラ等のカメラを内蔵し、水中にて水中植物、魚類等のような被写体の撮影を行う際には、内蔵するカメラに配置したコマンドダイヤルを水中カメラハウジングの外部から操作することが必要となるが、従来においては、かかる操作を簡略に行い得る機構は見当たらない。
【０００３】
特許文献１には、ハウジング本体の両サイドにグリップを取り付け、このグリップに操作ボタンを設けてハウジング本体内のカメラの操作を行なうようにした水中カメラ収容ハウジングが提案されている。
【０００４】
しかし、この特許文献１の水中カメラ収容ハウジングの場合も、内蔵カメラのコマンドダイヤルを簡略に操作し得えるように構成したものではない。
【０００５】
【特許文献１】特開２００２−１２２９２９号公報
【発明の開示】
【発明が解決しようとする課題】
【０００６】
本発明が解決しようとする問題点は、内蔵するカメラの例えば外周部に配置したコマンドダイヤルを水中カメラハウジングの外部から簡略操作するような機構が存在しない点である。
【課題を解決するための手段】
【０００７】
本発明は、コマンドダイヤルを備えるカメラをハウジング本体に内蔵した状態で、前記コマンドダイヤルをハウジング本体の外部から操作する水中カメラハウジングのコマンドダイヤル操作機構であって、前記ハウジング本体の側面外部に回動可能に、かつ、内部への水の浸入を阻止する状態に配置した操作ダイヤルと、ハウジング本体内に配置され、前記操作ダイヤルの回転に伴う回転力を内蔵したカメラのコマンドダイヤルにギヤ結合で伝達するギヤ伝達機構と、を有することを最も主要な特徴とする。
【発明の効果】
【０００８】
請求項１記載の発明によれば、水中撮影時において、カメラマンがハウジング本体の外部に露出する操作ダイヤルを例えば指操作で回転させる簡略作業を行なうだけで、内蔵するカメラのコマンドダイヤルを所望の位置に回転させることができ、極めて操作性良く所望のコマンド設定を実行することが可能な水中カメラハウジングのコマンドダイヤル操作機構を提供することができる。
【０００９】
請求項２記載の発明によれば、前記ギヤ伝達機構を、ハウジング本体内に配置した操作ダイヤルの回転力を伝達する原動ギヤを有する操作ダイヤル支持ギヤユニットと、ハウジング本体内に配置した原動ギヤの回転力を伝達するギヤ群及びこのギヤ群の回転力をカメラのコマンドダイヤルに伝達する作動ギヤを具備する伝達ギヤユニットとを備える構成として、請求項１記載の発明と同様な効果を発揮させることができる水中カメラハウジングのコマンドダイヤル操作機構を提供することができる。
【００１０】
請求項３記載の発明によれば、前記ギヤ伝達機構を、ハウジング本体内に配置した操作ダイヤルを支持するとともに、操作ダイヤルの回転力を伝達する原動ギヤを同軸に取り付けた操作ダイヤル支持軸を有する操作ダイヤル支持ギヤユニットと、ハウジング本体内に配置されるとともに、原動ギヤの回転力を伝達するギヤ群及びこのギヤ群の回転力を前記カメラのコマンドダイヤルに伝達する作動ギヤを取り付けた伝達ギヤ軸を具備する伝達ギヤユニットとを備える構成として、請求項１記載の発明と同様な効果を発揮させることができる水中カメラハウジングのコマンドダイヤル操作機構を提供することができる。
【発明を実施するための最良の形態】
【００１１】
本発明は、内蔵するカメラの例えば外周部に配置したコマンドダイヤルをハウジング本体の外部から簡略操作できる操作性の良好な水中カメラハウジングのコマンドダイヤル操作機構を提供することを目的とする。
【００１２】
本発明は、コマンドダイヤルを備えるカメラをハウジング本体に内蔵した状態で、前記コマンドダイヤルをハウジング本体の外部から操作する水中カメラハウジングのコマンドダイヤル操作機構であって、前記ハウジング本体の側面外部に回動可能に、かつ、内部への水の浸入を阻止する状態に配置した操作ダイヤルと、前記ハウジング本体内に配置した前記操作ダイヤルの回転力を伝達する原動ギヤを有する操作ダイヤル支持ギヤユニットと、前記ハウジング本体内に配置した前記原動ギヤの回転力を伝達するギヤ群及びこのギヤ群の回転力を前記カメラのコマンドダイヤルに伝達する作動ギヤを具備する伝達ギヤユニットと、を備えたギヤ伝達機構と、を有する構成により上記目的を実現した。
【実施例】
【００１３】
以下に、本発明の実施例に係る水中カメラハウジングのコマンドダイヤル操作機構について図１乃至図４を参照して詳細に説明する。
【００１４】
本実施例に係る水中カメラハウジング５０のコマンドダイヤル操作機構１は、図１、図２に示すように、水中カメラハウジング５０を構成する箱型状のハウジング本体５１内に水密構造で内蔵するデジタルカメラ等のカメラの例えば側面上部に設けられている絞り値の選択、シャッタ速度の選択等を行うためのコマンドダイヤル（例えばサブコマンドダイヤル）６１を、ハウジング本体５１の側面外側から指操作により回転操作するように構成している。尚、図２には、カメラのコマンドダイヤル６１のみを示し、カメラ自体については図示省略する。
【００１５】
すなわち、本実施例に係るコマンドダイヤル操作機構１は、ハウジング本体５１の側面外部の凹部に垂直軸線の回りを回動可能に配置した円環状の操作ダイヤル２の回転力を、ハウジング本体５１内に配置した前記操作ダイヤル２の支持機構を兼ねるギヤ伝達機構３を介してハウジング本体５１内でカメラのコマンドダイヤル６１に伝達し、このコマンドダイヤル６１を所望の位置に回転させるように構成している。
【００１６】
尚、前記ハウジング本体５１は、実際には背面側を覆う背面側ハウジングを備えているがここでは図示省略する。
【００１７】
前記ギヤ伝達機構３について詳述すると、このギヤ伝達機構３は、前記操作ダイヤル２を支持する操作ダイヤル支持ギヤユニット４と、この操作ダイヤル支持ギヤユニット４にギヤ結合されるとともに、前記カメラのコマンドダイヤル６１にもギヤ結合される伝達ギヤユニット５とを具備している。
【００１８】
前記操作ダイヤル支持ギヤユニット４は、図３に示すように、ハウジング本体５１の側面外部に回転操作可能に外周部を露出配置した前記操作ダイヤル２が上部に手締めネジ６を用いて取り付けられ、この操作ダイヤル２を回転可能に支持するとともに、図２に示すように、ハウジング本体５１の右側奥隅部にその底部が垂直配置に取り付ける操作ダイヤル支持軸７と、前記操作ダイヤル２の下側で、かつ、ハウジング本体５１の内部において手締めネジ８を用いて前記操作ダイヤル２と同軸で操作ダイヤル支持軸７に取り付けられる原動ギヤ９と、を具備している。
【００１９】
前記ハウジング本体５１の外部側に位置する操作ダイヤル２の上面及び下面には、スライダーワッシャー１０、１１を配置している。また、前記ハウジング本体５１における操作ダイヤル２の下側の操作ダイヤル支持軸７が貫通する部分には、Ｏリング１２、１３を配置し、ハウジング本体５１内への水の侵入を阻止するようにしている。
【００２０】
前記伝達ギヤユニット５は、図４に示すように、前記ハウジング本体５１の内面上部にネジ２１を用いて取り付けられる略直方体状の上軸受ブロック２２と、前記ハウジング本体５１の内面下部にネジ２３を用いて取り付けられる略直方体状の下軸受ブロック２４と、前記上軸受ブロック２２、下軸受ブロック２４により垂直配置に支持される伝達ギヤ軸２５とを有している。
【００２１】
前記伝達ギヤ軸２５の上端には、前記カメラのコマンドダイヤル６１にギヤ結合させる作動ギヤ２６を取り付けている。
【００２２】
また、前記伝達ギヤ軸２５の上部側には、前記上軸受ブロック２２が貫通配置され、伝達ギヤ軸２５を回転可能とするとともに、この上軸受ブロック２２を上下一対ずつ２組のスライダーワッシャー２７、Ｅ形止輪２８を用いて前記上軸受ブロック２２を定位置に保持するようになっている。
【００２３】
前記伝達ギヤ軸２５の下部側には第３ギヤ３３を嵌装し、手締めネジ３４を用いて固着するとともに、前記伝達ギヤ軸２５の下端を前記下軸受ブロック２４の受孔２４ａに嵌め付けて、伝達ギヤ軸２５を回転可能に支持している。さらに、前記下軸受ブロック２４には、２個のギヤ軸２９を用いて第１ギヤ３１、第２ギヤ３２がギヤ結合状態で取り付けられている。
【００２４】
前記第１ギヤ３１は、既述した前記原動ギヤ９とギヤ結合し、また、第２ギヤ３２は前記第３ギヤ３３とギヤ結合する構成としている。
【００２５】
尚、前記ハウジング本体５１は、上述した要素の他、カメラを操作するための各種の要素を備えているが、本実施例では説明を省略する。
【００２６】
次に、本実施例に係るコマンドダイヤル操作機構１の動作について説明する。
【００２７】
このコマンドダイヤル操作機構１によれば、上述した操作ダイヤル支持ギヤユニット４及び伝達ギヤユニット５の構成により、水中撮影時において、カメラマンがハウジング本体５１の側面外部に露出する前記操作ダイヤル２を例えば指操作で回転させる簡略作業を行なうだけで、その回転力は前記原動ギヤ９、第１ギヤ３１、第２ギヤ３２及び第３ギヤ３３を経て作動ギヤ２６に伝達され、この作動ギヤ２６にギヤ結合する前記カメラのコマンドダイヤル６１を所望の位置に回転させることができ、極めて操作性良く所望のコマンド設定を実行することができる。
【産業上の利用可能性】
【００２８】
本発明に係る水中カメラハウジングのコマンドダイヤル操作機構は、デジタルカメラ、スチールカメラ、ビデオカメラ等を問わず、ハウジング本体内に内蔵するコマンドダイヤルを有するカメラに関して広範に適用可能である。
【図面の簡単な説明】
【００２９】
【図１】本発明の実施例に係る水中カメラハウジングのコマンドダイヤル操作機構を構成する操作ダイヤルの露出状態を示す概略斜視図である。
【図２】本実施例に係るコマンドダイヤル操作機構及び水中カメラハウジングの分解斜視図である。
【図３】本実施例に係るコマンドダイヤル操作機構の操作ダイヤル支持ギヤユニットの分解斜視図である。
【図４】本実施例に係るコマンドダイヤル操作機構の伝達ギヤユニットの分解斜視図である。
【符号の説明】
【００３０】
１    コマンドダイヤル操作機構
２    操作ダイヤル
３    ギヤ伝達機構
４    操作ダイヤル支持ギヤユニット
５    伝達ギヤユニット
６    手締めネジ
７    操作ダイヤル支持軸
８    手締めネジ
９    原動ギヤ
１０    スライダーワッシャー
１１    スライダーワッシャー
１２    Ｏリング
１３    Ｏリング
２１    ネジ
２２    上軸受ブロック
２３    ネジ
２４    下軸受ブロック
２４ａ  受孔
２５    伝達ギヤ軸
２６    作動ギヤ
２７    スライダーワッシャー
２８    Ｅ形止輪
２９    ギヤ軸
３１    第１ギヤ
３２    第２ギヤ
３３    第３ギヤ
３４    手締めネジ
５０    水中カメラハウジング
５１    ハウジング本体
６１    コマンドダイヤル
【図１】
2009157173.tif 000003
【図２】
2009157173.tif 000004
【図３】
2009157173.tif 000005
【図４】
2009157173.tif 000006